(57)【要約】【課題】簡便に名刺交換を行うとともに、名刺情報が必要なときにその最新の内容を提供することを目的とする。【解決手段】移動通信端末１０ａと移動通信端末１０ｂは互いに、名刺情報の閲覧に必要なコード情報を赤外線によって交換する。名刺情報は名刺管理サーバ装置６０によって集中的に管理されている。移動通信端末１０は、ユーザが名刺情報を参照しようとする度に、名刺管理サーバ装置６０にアクセスしコード情報を通知することによって、常に最新の名刺情報を取得することができる。【選択図】      図１
2004362264.tif 000002
【特許請求の範囲】
【請求項１】
移動通信網に接続されたサーバ装置と、前記移動通信網に収容される複数の移動通信端末とを備え、
前記移動通信端末の各々は、
他の移動通信端末と前記移動通信網を介さずにデータ通信を行う通信手段と、
自端末のユーザの名刺情報に割り当てられたコード情報を記憶する自己情報記憶手段と、
前記自己情報記憶手段によって記憶されているコード情報を前記通信手段を用いて他の移動通信端末に送信し、または、他の移動通信端末から送信されてくるコード情報を前記通信手段を用いて受信する通信制御手段と、
前記通信制御手段が他の移動通信端末から受信したコード情報を記憶する他人情報記憶手段と、
前記他人情報記憶手段によって記憶されている複数のコード情報のうち、ユーザが所望する名刺情報に対応するコード情報を特定する特定手段と、
特定されたコード情報を前記移動通信網を介して前記サーバ装置に送信する送信手段と、
前記サーバ装置から前記移動通信網を介して送信されてくる名刺情報を受信し、当該名刺情報の内容を表示する表示手段とを有し、
前記サーバ装置は、
複数の前記移動通信端末のユーザの名刺情報を、当該名刺情報に割り当てられたコード情報と対応付けて記憶する名刺情報記憶手段と、
前記名刺情報記憶手段に記憶されている名刺情報の内容をユーザからの要求に基づいて更新する更新手段と、
前記移動通信端末から前記移動通信網を介して送信されてくる前記コード情報に対応する名刺情報を前記名刺情報記憶手段から抽出する抽出手段と、
抽出された名刺情報を前記移動通信網を介して前記移動通信端末に送信する名刺情報送信手段とを有する名刺交換システム。
【請求項２】
移動通信網に収容される移動通信端末において、
他の移動通信端末と前記移動通信網を介さずにデータ通信を行う通信手段と、
自端末のユーザの名刺情報に割り当てられたコード情報を記憶する自己情報記憶手段と、
前記自己情報記憶手段によって記憶されているコード情報を前記通信手段を用いて他の移動通信端末に送信し、または、他の移動通信端末から送信されてくるコード情報を前記通信手段を用いて受信する通信制御手段と、
前記通信制御手段が他の移動通信端末から受信したコード情報を記憶する他人情報記憶手段と、
前記他人情報記憶手段によって記憶されている複数のコード情報のうち、ユーザが所望する名刺情報に対応するコード情報を特定する特定手段と、
特定されたコード情報を前記移動通信網を介して前記サーバ装置に送信する送信手段と、
前記サーバ装置から前記移動通信網を介して送信されてくる名刺情報を受信し、当該名刺情報の内容を表示する表示手段と
を備える移動通信端末。
【請求項３】
前記自己情報記憶手段は、前記サーバ装置に割り当てられた通信アドレスを前記コード情報とともに記憶しており、
前記通信制御手段は、前記コード情報とともに前記自己情報記憶手段に記憶されている前記通信アドレスを他の移動通信端末に送信し、または、他の移動通信端末から前記コード情報とともに送信されてくる前記通信アドレスを受信し、
前記他人情報記憶手段は、前記通信制御手段によって前記他の移動通信端末から受信した通信アドレスを前記コード情報に対応付けて記憶し、
前記送信手段は、前記特定されたコード情報に対応付けられて前記他人情報記憶手段に記憶されている通信アドレスに基づき、前記サーバ装置に前記コード情報を送信する請求項２記載の移動通信端末。
【請求項４】
前記自己情報記憶手段は、自端末のユーザを識別するためのユーザ識別情報を前記コード情報とともに記憶しており、
前記通信制御手段は、前記コード情報とともに前記自己情報記憶手段に記憶されている前記ユーザ識別情報を他の移動通信端末に送信し、または、他の移動通信端末から前記コード情報とともに送信されてくる前記ユーザ識別情報を受信し、
前記他人情報記憶手段は、前記通信制御手段によって前記他の移動通信端末から受信したユーザ識別情報を前記コード情報に対応付けて記憶し、
前記特定手段は、
前記他人情報記憶手段によって記憶されている複数のユーザ識別情報を一覧表示する手段と、
一覧表示されたユーザ識別情報の中から自端末のユーザが所望するユーザ識別情報を選択するための操作を受け付ける手段とを有し、
選択されたユーザ識別情報に対応付けて前記他人情報記憶手段に記憶されているコード情報を読み出す読み出し手段と
を有する請求項２記載の移動通信端末。
【請求項５】
前記自己情報記憶手段は、暗号化された名刺情報を復号化するための鍵情報を前記コード情報とともに記憶しており、
前記通信制御手段は、前記コード情報とともに前記自己情報記憶手段に記憶されている前記鍵情報を他の移動通信端末に送信し、または、他の移動通信端末から前記コード情報とともに送信されてくる前記鍵情報を受信し、
前記他人情報記憶手段は、前記通信制御手段によって前記他の移動通信端末から受信した鍵情報をを前記コード情報に対応付けて記憶し、
前記表示手段は、前記サーバ装置から送信されてくる暗号化された名刺情報を、当該名刺情報に対応した鍵情報を用いて復号化して表示する請求項２記載の移動通信端末。
【請求項６】
複数の移動通信端末のユーザの名刺情報を、当該名刺情報に割り当てられたコード情報と対応付けて記憶する名刺情報記憶手段と、
前記名刺情報記憶手段に記憶されている名刺情報の内容をユーザからの要求に基づいて更新する更新手段と、
前記移動通信端末から移動通信網を介して送信されてくる前記コード情報に対応する名刺情報を前記名刺情報記憶手段から抽出する抽出手段と、
抽出した名刺情報を前記移動通信網を介して前記移動通信端末に送信する名刺情報送信手段と
を備えたサーバ装置。
【請求項７】
各々のユーザの名刺情報に対応した鍵情報を当該ユーザの移動通信端末に配信する配信手段と、
前記抽出手段によって抽出された名刺情報を当該名刺情報に対応した鍵情報によって暗号化する暗号化手段とを備え、
前記名刺情報送信手段は、前記暗号化手段によって暗号化された名刺情報を前記移動通信端末に送信する請求項６記載のサーバ装置。
【発明の詳細な説明】
【０００１】
【発明の属する技術分野】
本発明は、名刺情報をより簡便に交換するための技術に関する。
【０００２】
【従来の技術】
名刺には一般に勤務先の名称や連絡先等が記載されているが、転勤などに伴って、これらの記載内容が変更することがある。この場合、既に名刺を交換している相手に対して、新たな名刺の内容を通知することができれば非常に便利である。そこで、このようなニーズを満たす技術として特許文献１に記載されたものがある。
【０００３】
【特許文献１】
特開２００２−１０８９０４号公報
【０００４】
この特許文献１に記載された技術では、ユーザが携帯するＰＤＡ（Ｐｅｒｓｏｎａｌ  Ｄｉｇｉｔａｌ  Ａｓｓｉｓｔａｎｔｓ）が、名刺情報を集中的に管理しているサーバ装置にアクセスすると、そのＰＤＡのユーザが既に受け取っている全ての電子名刺について更新の有無が判定される。そして、更新されている電子名刺があれば、その更新内容の全てがサーバ装置からＰＤＡに通知され、このＰＤＡのＦｌａｓｈＲＯＭに記憶されている電子名刺の内容が上書き更新されるようになっている。例えば、あるユーザのＰＤＡがサーバ装置にアクセスしたところ、そのユーザが既に受け取っている１０人分の電子名刺のうち３人分の電子名刺が更新されている場合には、その３人分の電子名刺の更新内容がＰＤＡに通知されることになる。
【０００５】
【発明が解決しようとする課題】
ところで、名刺交換はきわめて頻繁に行われる社会慣行ではあるが、いったん名刺交換をした後は、本当にその名刺の内容を知りたいときにだけ、その正確な内容が把握できればよい。しかしながら、特許文献１のように、ユーザが今までに受け取っている全ての名刺についてあらゆる更新内容を通知するという手法では、ユーザが本来知りたい名刺情報以外のものについても自動的に更新処理がなされてしまうことになる。これではネットワーク上の通信トラヒックの増大を招いてしまうなどの問題が発生してしまう。
【０００６】
この発明は、以上説明した事情に鑑みてなされたものであり、簡便に名刺交換を行うとともに、名刺情報が必要なときにその最新の内容を提供することを目的とする。
【０００７】
【課題を解決するための手段】
上記課題を解決するため、本発明は、移動通信網に接続されたサーバ装置と、前記移動通信網に収容される複数の移動通信端末とを備え、前記移動通信端末の各々は、他の移動通信端末と前記移動通信網を介さずにデータ通信を行う通信手段と、自端末のユーザの名刺情報に割り当てられたコード情報を記憶する自己情報記憶手段と、前記自己情報記憶手段によって記憶されているコード情報を前記通信手段を用いて他の移動通信端末に送信し、または、他の移動通信端末から送信されてくるコード情報を前記通信手段を用いて受信する通信制御手段と、前記通信制御手段が他の移動通信端末から受信したコード情報を記憶する他人情報記憶手段と、前記他人情報記憶手段によって記憶されている複数のコード情報のうち、ユーザが所望する名刺情報に対応するコード情報を特定する特定手段と、特定されたコード情報を前記移動通信網を介して前記サーバ装置に送信する送信手段と、前記サーバ装置から前記移動通信網を介して送信されてくる名刺情報を受信し、当該名刺情報の内容を表示する表示手段とを有し、前記サーバ装置は、複数の前記移動通信端末のユーザの名刺情報を、当該名刺情報に割り当てられたコード情報と対応付けて記憶する名刺情報記憶手段と、前記名刺情報記憶手段に記憶されている名刺情報の内容をユーザからの要求に基づいて更新する更新手段と、前記移動通信端末から前記移動通信網を介して送信されてくる前記コード情報に対応する名刺情報を前記名刺情報記憶手段から抽出する抽出手段と、抽出された名刺情報を前記移動通信網を介して前記移動通信端末に送信する名刺情報送信手段とを有する名刺交換システムを提供する。
この名刺交換システムによれば、移動通信端末は、ユーザが所望する名刺情報に割り当てられたコード情報を他の移動通信端末と交換し、さらに、このコード情報を移動通信網を介してサーバ装置に送信することによって名刺情報を得ることができる。移動通信端末の間ではコード情報のやり取りという、比較的簡便な処理だけで済む。また、サーバ装置がユーザからの要求に基づいて名刺情報を随時更新しているので、移動通信端末はより新しい内容の名刺情報を得ることができる。
【０００８】
また、本発明は、移動通信網に収容される移動通信端末において、他の移動通信端末と前記移動通信網を介さずにデータ通信を行う通信手段と、自端末のユーザの名刺情報に割り当てられたコード情報を記憶する自己情報記憶手段と、前記自己情報記憶手段によって記憶されているコード情報を前記通信手段を用いて他の移動通信端末に送信し、または、他の移動通信端末から送信されてくるコード情報を前記通信手段を用いて受信する通信制御手段と、前記通信制御手段が他の移動通信端末から受信したコード情報を記憶する他人情報記憶手段と、前記他人情報記憶手段によって記憶されている複数のコード情報のうち、ユーザが所望する名刺情報に対応するコード情報を特定する特定手段と、特定されたコード情報を前記移動通信網を介して前記サーバ装置に送信する送信手段と、前記サーバ装置から前記移動通信網を介して送信されてくる名刺情報を受信し、当該名刺情報の内容を表示する表示手段とを備える移動通信端末を提供する。
この移動通信端末によれば、ユーザが所望する名刺情報に割り当てられたコード情報を他の移動通信端末と交換し、さらに、このコード情報を移動通信網を介してサーバ装置に送信することによって名刺情報を得ることができる。移動通信端末の間ではコード情報のやり取りという、比較的簡便な処理だけで済む。また、サーバ装置がユーザからの要求に基づいて名刺情報を随時更新しているので、移動通信端末はより新しい内容の名刺情報を得ることができる。
【０００９】
好ましい態様においては、前記自己情報記憶手段は、前記サーバ装置に割り当てられた通信アドレスを前記コード情報とともに記憶しており、前記通信制御手段は、前記コード情報とともに前記自己情報記憶手段に記憶されている前記通信アドレスを他の移動通信端末に送信し、または、他の移動通信端末から前記コード情報とともに送信されてくる前記通信アドレスを受信し、前記他人情報記憶手段は、前記通信制御手段によって前記他の移動通信端末から受信した通信アドレスを前記コード情報に対応付けて記憶し、前記送信手段は、前記特定されたコード情報に対応付けられて前記他人情報記憶手段に記憶されている通信アドレスに基づき、前記サーバ装置に前記コード情報を送信する。
このように、移動通信端末は、コード情報とともにサーバ装置の通信アドレスをも交換するので、この通信アドレスを用いてサーバ装置にコード情報を送信することができる。
【００１０】
また、好ましい態様においては、前記自己情報記憶手段は、自端末のユーザを識別するためのユーザ識別情報を前記コード情報とともに記憶しており、前記通信制御手段は、前記コード情報とともに前記自己情報記憶手段に記憶されている前記ユーザ識別情報を他の移動通信端末に送信し、または、他の移動通信端末から前記コード情報とともに送信されてくる前記ユーザ識別情報を受信し、前記他人情報記憶手段は、前記通信制御手段によって前記他の移動通信端末から受信したユーザ識別情報をを前記コード情報に対応付けて記憶し、前記特定手段は、前記他人情報記憶手段によって記憶されている複数のユーザ識別情報を一覧表示する手段と、一覧表示されたユーザ識別情報の中から自端末のユーザが所望するユーザ識別情報を選択するための操作を受け付ける手段とを有し、選択されたユーザ識別情報に対応付けて前記他人情報記憶手段に記憶されているコード情報を読み出す読み出し手段とを有する。
このようにすれば、ユーザは一覧表示されたユーザ識別情報の中から所望のものを容易に選択することができる。
【００１１】
また、好ましい態様においては、前記自己情報記憶手段は、暗号化された名刺情報を復号化するための鍵情報を前記コード情報とともに記憶しており、前記通信制御手段は、前記コード情報とともに前記自己情報記憶手段に記憶されている前記鍵情報を他の移動通信端末に送信し、または、他の移動通信端末から前記コード情報とともに送信されてくる前記鍵情報を受信し、前記他人情報記憶手段は、前記通信制御手段によって前記他の移動通信端末から受信した鍵情報をを前記コード情報に対応付けて記憶し、前記表示手段は、前記サーバ装置から送信されてくる暗号化された名刺情報を、当該名刺情報に対応した鍵情報を用いて復号化して表示する。
これのようにサーバ装置から移動通信端末に送信される名刺情報を暗号化することによりセキュリティを向上させることができる。
【００１２】
また、本発明は、複数の移動通信端末のユーザの名刺情報を、当該名刺情報に割り当てられたコード情報と対応付けて記憶する名刺情報記憶手段と、前記名刺情報記憶手段に記憶されている名刺情報の内容をユーザからの要求に基づいて更新する更新手段と、前記移動通信端末から移動通信網を介して送信されてくる前記コード情報に対応する名刺情報を前記名刺情報記憶手段から抽出する抽出手段と、抽出した名刺情報を前記移動通信網を介して前記移動通信端末に送信する名刺情報送信手段とを備えたサーバ装置を提供する。
【００１３】
好ましい態様において、前記サーバ装置は、各々のユーザの名刺情報に対応した鍵情報を当該ユーザの移動通信端末に配信する配信手段と、前記抽出手段によって抽出された名刺情報を当該名刺情報に対応した鍵情報によって暗号化する暗号化手段とを備え、前記名刺情報送信手段は、前記暗号化手段によって暗号化された名刺情報を前記移動通信端末に送信する。
【００１４】
【発明の実施の形態】
以下、図面を参照して、本発明の実施形態について説明する。
（１）構成
図１は、本実施形態にかかる名刺交換システムの構成を示す図である。図１に示すように、この名刺交換システムは、移動通信端末１０ａ、１０ｂと、移動パケット通信網２０と、ゲートウェイ装置３０と、インターネット４０と、パーソナルコンピュータ５０と、名刺管理サーバ装置６０とを有する。移動パケット通信網２０はゲートウェイ装置３０を介してインターネット４０に接続されており、これらの２つのネットワーク間では双方向のデータ通信を行うことが可能になっている。なお、図１においては、図面が煩雑となることを防ぐため、２つの移動通信端末及び１つのパーソナルコンピュータしか図示していないが、これらは実際には多数存在する。また、移動通信端末１０ａ、１０ｂは共通の構成であるから、以下では、特に区別して説明する場合を除き、「移動通信端末１０」と総称する。また、パーソナルコンピュータ５０については、以降の説明及び図面において「パソコン５０」と略称する。
【００１５】
名刺管理サーバ装置６０は、ＷＷＷ（Ｗｏｒｌｄ  Ｗｉｄｅ  Ｗｅｂ）サーバ装置であり、インターネット４０に接続された通信端末から送信されてくるＨＴＴＰ（Ｈｙｐｅｒｔｅｘｔ  Ｔｒａｎｓｆｅｒ  Ｐｒｏｔｏｃｏｌ）リクエストを受信すると、これに応じて、ＨＴＭＬ（Ｈｙｐｅｒｔｅｘｔ  Ｍａｒｋｕｐ  Ｌａｎｇｕａｇｅ）形式のデータ等を含むＨＴＴＰレスポンスを上記通信端末に送信するように構成されている。なお、以下では、ＨＴＭＬ形式のデータを単に「ＨＴＭＬデータ」という。
また、名刺管理サーバ装置６０は、移動通信端末１０ａ、１０ｂの各ユーザに関する名刺情報や、その名刺情報を閲覧するために必要とされる情報（以下、名刺閲覧情報という）を記憶している。名刺情報には、ユーザが所属する会社や部署の名称、その住所や電話番号、さらにはユーザの役職名やメールアドレスなどの、ユーザの名刺に記載し得ると考えられる様々な情報が含まれている。これらの名刺情報は、ユーザがパソコン５０のキーボードを操作することによって入力された後、パソコン５０からインターネット４０を介して名刺管理サーバ装置６０に通知され、この名刺管理サーバ装置６０のハードディスク６５に記憶されるようになっている。このようにして名刺情報が名刺管理サーバ装置６０に記憶されると、名刺管理サーバ装置６０は、その名刺情報に固有となるように名刺閲覧情報を生成し、生成した名刺閲覧情報を上記名刺情報と対応付けて記憶するようになっている。
【００１６】
移動通信端末１０は、移動パケット通信網２０に収容されており、この移動パケット通信網２０を介してパケット通信を行うようになっている。具体的には、移動通信端末１０は、例えばＰＤＣ（Ｐｅｒｓｏｎａｌ  Ｄｉｇｉｔａｌ  Ｃｅｌｌｕｌａｒ）方式やＩＭＴ−２０００（Ｉｎｔｅｒｎａｔｉｏｎａｌ  Ｍｏｂｉｌｅ  Ｔｅｌｅｃｏｍｍｕｎｉｃａｔｉｏｎ−２０００）方式の携帯電話機であったり、ＰＨＳ（Ｐｅｒｓｏｎａｌ  Ｈａｎｄｙｐｈｏｎｅ  Ｓｙｓｔｅｍ：登録商標）方式の簡易携帯電話機であったり、上記方式に従ってパケット通信を行う通信装置を内蔵したＰＤＡである。移動通信端末１０はブラウザソフトウェアを記憶しており、このブラウザソフトウェアを実行することによってＷＷＷサーバ装置との間でＨＴＴＰリクエストやＨＴＴＰレスポンスをやり取りしたり、ＨＴＭＬデータを解釈して対話画面を表示するようになっている。
また、この移動通信端末１０は、赤外線信号波を搬送波としてデータ通信を行う赤外線通信機能を備えており、外部の赤外線通信装置との間で各種データをやり取りすることができるようになっている。例えば、移動通信端末１０ａは、赤外線が到達し得るような比較的近距離に居る移動通信端末１０ｂとの間でデータ通信を行うことができる。
【００１７】
次に、図２を参照しながら、名刺管理サーバ装置６０の構成について説明する。図２に示すように、名刺管理サーバ装置６０は、ＣＰＵ（Ｃｅｎｔｒａｌ  Ｐｒｏｃｅｓｓｉｎｇ  Ｕｎｉｔ）６１と、ＲＯＭ（Ｒｅａｄ  Ｏｎｌｙ  Ｍｅｍｏｒｙ）６２と、ＲＡＭ（Ｒａｎｄｏｍ  Ａｃｃｅｓｓ  Ｍｅｍｏｒｙ）６３と、通信インタフェース６４と、ハードディスク６５とを備えている。通信インタフェース６４はインターネット４０に接続されており、このインターネット４０を介して各種通信装置とデータ通信を行う。ハードディスク６５には、後述する動作を行うための手順が記述されたＷＷＷサーバアプリケーションソフトウェアや各種のＨＴＭＬデータのほか、前述した名刺情報や名刺閲覧情報が記憶されている。
【００１８】
ここで、図３は、ハードディスク６５に記憶されている名刺情報及び名刺閲覧情報の一例を示す図である。図３に例示しているように、ユーザの氏名「山田太郎」、会社の名称「○○商事」、会社の住所「東京都港区・・・」、所属部署「営業一部」、役職「課長」、会社の電話番号「０３−３３３３−５５５５」、移動通信端末１０の電話番号「０９０−３４５６−７８９０」等の名刺情報がハードディスク６５に記憶されている。
さらにこれらの名刺情報に対応して、「コード情報」と「暗号鍵」という名刺閲覧情報が記憶されている。コード情報は、６桁の英数字によって構成される文字列であり、各々のユーザの名刺情報に対して一意に割り当てられたものである。名刺管理サーバ装置６０は、移動通信端末からのＨＴＴＰリクエストに正しいコード情報が含まれているときのみ、そのコード情報に対応する名刺情報を上記移動通信端末１０に送信する。また、暗号鍵は、各々のユーザの名刺情報を暗号化及び復号化するための情報であり、各名刺情報に対してユニークである。図３では、各々の暗号鍵を「Ｋｅｙ−１」、「Ｋｅｙ−２」・・・というように概念的に表しているが、実際には、各々のユーザの名刺情報に対してランダムに割り当てられた所定数の文字列である。なお、本実施形態では、ユーザの氏名「山田太郎」は前述の通り名刺情報であるが、これと同時に名刺閲覧情報でもある。
【００１９】
次に、移動通信端末１０の構成について、図４に示す移動通信端末１０ａの構成を例に挙げて説明する。図４に示すように、移動通信端末１０ａは、自端末内の各部を制御する制御部１１ａと、移動パケット通信網２０の基地局（図示略）と無線通信を行う無線通信部１２ａと、マイクロフォンやスピーカからなる通話部１３ａと、赤外線受発光部や変調・復調部からなる赤外線通信部１４ａと、液晶ディスプレイや液晶駆動回路からなる表示部１５ａと、キーパッドや押圧キー検出回路からなる操作部１６ａと、ＥＥＰＲＯＭ（Ｅｌｅｃｔｒｉｃ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）やＦｌａｓｈＲＯＭ（Ｆｌａｓｈ  Ｒｅａｄ  Ｏｎｌｙ  Ｍｅｍｏｒｙ）等の不揮発性メモリ１７ａとを備えている。
なお、本実施形態の説明及び図面においては、移動通信端末１０ａの構成要素には「ａ」という符号を付け、移動通信端末１０ｂの構成要素には「ｂ」という符号を付けることにする。
【００２０】
不揮発性メモリ１７ａには、前述したブラウザソフトウェア等の各種アプリケーションソフトウェアが記憶されている。また、不揮発性メモリ１７ａには、移動通信端末１０ａ自身のユーザの名刺閲覧情報（以下、自己名刺閲覧情報という）を記憶するための自己名刺閲覧情報記憶領域１７１ａや、他の移動通信端末１０のユーザの名刺閲覧情報（以下、他人名刺閲覧情報という）を記憶するための他人名刺閲覧情報記憶領域１７２ａが設けられている。
図４では、不揮発性メモリ１７ａに記憶されている自己名刺閲覧情報として、移動通信端末１０ａのユーザの氏名である「山田太郎」と、コード情報「１２３４ＴＹ」と、暗号鍵「Ｋｅｙ−１」とが例示されている。この自己名刺閲覧情報は、名刺管理サーバ装置６０からこの移動通信端末１０ａにダウンロードされて不揮発性メモリ１７ａに記憶される。移動通信端末１０ａが他の移動通信端末１０と名刺閲覧情報の交換を行う際には、制御部１１ａは、不揮発性メモリ１７ａに記憶されている自己名刺閲覧情報を赤外線通信部１４ａを用いて他の移動通信端末１０に送信する。
次に、他人名刺閲覧情報は、他の移動通信端末１０から赤外線を用いて送信されてきてこの不揮発性メモリ１７ａに記憶されるものである。図４に示す例では、他の移動通信端末１０（ここでは移動通信端末１０ｂとする）のユーザの氏名が「中村明子」であり、コード情報が「２５６２ＪＨ」であり、暗号鍵が「Ｋｅｙ−２」であることを意味している。移動通信端末１０ａの制御部１１ａは、このような他人名刺閲覧情報を無線通信部１２ａを用いて名刺管理サーバ装置６０に送信することによって他人の名刺情報を要求するようになっている。そして、制御部１１ａは、この要求に応じて名刺管理サーバ装置６０から送信されてくる名刺情報を無線通信部１２ａを介して受信し、表示部１５ａに表示するようになっている。
【００２１】
移動通信端末１０ｂの構成は、上述した移動通信端末１０ａの構成とほぼ同様であり、異なるのは自己名刺閲覧情報記憶領域１７１や他人名刺閲覧情報記憶領域１７２に記憶されている内容のみである。
以上が、本実施形態の構成である。
【００２２】
（２）動作
次に、上記構成からなる実施形態の動作について説明する。
本実施形態では、大別して、名刺情報の登録・更新処理と、名刺閲覧情報の交換処理と、名刺情報の閲覧処理という３つの動作態様がある。これらの動作態様について、以下では、移動通信端末１０ａのユーザ（氏名「山田太郎」）が自身の名刺情報を名刺管理サーバ装置６０に登録し、次いで、移動通信端末１０ｂのユーザ（氏名「中村明子」）との間で名刺閲覧情報を交換し、この後、交換した名刺閲覧情報に基づいて名刺情報を閲覧する場合を例に挙げて説明を行う。
【００２３】
（２−１）名刺情報の登録・更新処理
図５は、パソコン５０と名刺管理サーバ装置６０とによって実行される名刺情報の登録・更新プロセスを示すシーケンスチャートである。
図５において、まず、移動通信端末１０ａのユーザは、パソコン５０を操作して、名刺管理サーバ装置６０が記憶している、登録・更新画面のＵＲＬ（Ｕｎｉｆｏｒｍ  Ｒｅｓｏｕｒｃｅ  Ｌｏｃａｔｏｒ）を入力する。パソコン５０は、この操作を受け付けると、上記ＵＲＬを含むＨＴＴＰリクエストｒ１を生成し、これをインターネット４０を介して名刺管理サーバ装置６０に送信する。
【００２４】
名刺管理サーバ装置６０は、ＷＷＷサーバアプリケーションソフトウェアを常駐プログラムとして実行しており、インターネット４０を介してＨＴＴＰリクエストｒ１を受信すると、このＨＴＴＰリクエストｒ１に含まれるＵＲＬに基づいてハードディスク６５からＨＴＭＬデータを読み出す。次いで、名刺管理サーバ装置６０は、このＨＴＭＬデータを含むＨＴＴＰレスポンスｒ２をパソコン５０に送信する。
【００２５】
パソコン５０は、受信したＨＴＴＰレスポンスｒ２に含まれるＨＴＭＬデータを解釈して図６に示すような画面を表示する。この画面には名刺情報を入力するためのテキストボックスが設けられており、ユーザは、これらテキストボックスに、氏名「山田太郎」、会社名「○○商事」、住所「東京都港区・・・」、部署「営業一部」、役職「課長」、会社の電話番号「０３−３３３３−５５５５」及び移動通信端末１０ａの電話番号「０９０−３４５６−７８９０」等の名刺情報を入力し、最後に「送信」と表記されたソフトボタンを選択する操作を行う。パソコン５０はこの操作を受け付けて、入力された名刺情報を含むＨＴＴＰリクエストｒ３を名刺管理サーバ装置６０に送信する。
【００２６】
名刺管理サーバ装置６０は、受信したＨＴＴＰリクエストｒ３から名刺情報を抽出し、この名刺情報をハードディスク６５に記憶する。次いで、名刺管理サーバ装置６０は、記憶した名刺情報に対して固有のコード情報「１２３４ＴＹ」と固有の暗号鍵「Ｋｅｙ−１」を生成し、これらを上記名刺情報に対応付けてハードディスク６５に記憶する。そして、名刺管理サーバ装置６０は、名刺情報の登録が完了した旨のメッセージを含むＨＴＴＰレスポンスｒ４をパソコン５０に送信する。パソコン５０は、ＨＴＴＰレスポンスｒ４を受信すると、名刺情報の登録が完了した旨のメッセージを表示し、処理は終了する。
【００２７】
上記説明は名刺情報を新規に登録する場合の例であるが、既に登録している名情報を更新する場合にも、上記と同じ手順に従って処理すればよい。具体的には、パソコン５０にはＨＴＴＰレスポンスｒ２に含まれるＨＴＭＬデータに基づいた画面が表示されるが、ユーザはこの表示画面に対し、今まで登録していた名刺情報に代えて新たに登録すべき名刺情報を入力すればよい。これに応じて、パソコン５０は、新たに入力された情報を含むＨＴＴＰリクエストｒ３を名刺管理サーバ装置６０に送信し、名刺管理サーバ装置６０はこの名刺情報に基づいてハードディスク６５に記憶された内容を更新することになる。
【００２８】
また、移動通信端末１０ｂと名刺管理サーバ装置６０との間においても、上記と同様の手順で名刺情報の登録・更新処理が行われる。これによって、名刺管理サーバ装置６０のハードディスク６５は、前述の図３に示すような内容を記憶した状態になる。
【００２９】
（２−２）名刺閲覧情報の交換
名刺閲覧情報を交換する処理に先立って、ユーザは自身の移動通信端末１０ａに自己名刺閲覧情報を記憶させるという事前の設定処理を行う必要がある。以下では、図７を参照しながら、この設定処理について説明する。
図７において、ユーザは移動通信端末１０ａを操作してブラウザソフトウェアを起動し、さらに、名刺管理サーバ装置６０が記憶している設定処理画面のＵＲＬを入力する。移動通信端末１０ａは、この操作を受け付けると、上記ＵＲＬを含むＨＴＴＰリクエストｒ１１を生成し、これを名刺管理サーバ装置６０に送信する。
【００３０】
さて、名刺管理サーバ装置６０は、ＨＴＴＰリクエストｒ１１を受信すると、このＨＴＴＰリクエストｒ１１に含まれているＵＲＬに基づいて、ハードディスク６５からＨＴＭＬデータを読み出し、このＨＴＭＬデータを含むＨＴＴＰレスポンスｒ１２を移動通信端末１０ａに送信する。
【００３１】
移動通信端末１０ａは、受信したＨＴＴＰレスポンスｒ１２に含まれるＨＴＭＬデータを解釈して図８に示すような画面を表示する。この画面には、移動通信端末１０ａの電話番号を入力するためのテキストボックスが設けられている。ユーザがこのテキストボックスに移動通信端末１０ａの電話番号「０９０−３４５６−７８９０」を入力し、「送信」と表記されたソフトボタンを選択すると、移動通信端末１０ａはこの操作を受け付けて上記電話番号を含むＨＴＴＰリクエストｒ１３を名刺管理サーバ装置６０に送信する。
【００３２】
名刺管理サーバ装置６０は、受信したＨＴＴＰリクエストｒ１３から、電話番号「０９０−３４５６−７８９０」を抽出する。次いで、名刺管理サーバ装置６０はハードディスク６５に記憶されている名刺情報を参照して、上記電話番号に対応する氏名「山田太郎」、コード情報「１２３４ＴＹ」及び暗号鍵「Ｋｅｙ−１」を読み出し、これらを含むＨＴＴＰレスポンスｒ１４を移動通信端末１０ａに送信する。
【００３３】
移動通信端末１０ａは、受信したＨＴＴＰレスポンスｒ１４から氏名「山田太郎」、コード情報「１２３４ＴＹ」及び暗号鍵「Ｋｅｙ−１」を抽出し、これらを不揮発性メモリ１７ａの自己名刺閲覧情報記憶領域１７１ａに記憶する。これによって、自己名刺閲覧情報記憶領域１７１ａは、先に説明した図４に示すような内容を記憶した状態になり、設定処理は終了する。
【００３４】
また、移動通信端末１０ｂと名刺管理サーバ装置６０との間においても、上記と同様の手順で処理が実行され、この結果、移動通信端末１０ｂの不揮発性メモリ１７ｂの自己名刺閲覧情報記憶領域１７１ｂには、氏名「中村明子」、コード情報「２５６２ＪＨ」及び暗号鍵「Ｋｅｙ−２」が記憶される。
【００３５】
次に、図９を参照しながら、移動通信端末１０ａと移動通信端末１０ｂとが、名刺閲覧情報を交換する際の動作について説明する。まず、移動通信端末１０ａのユーザと移動通信端末１０ｂのユーザは、各々、自身の移動通信端末１０の赤外線通信部１４を互いに近づけ、操作部１６を用いて名刺交換を行うことを指示する操作を行う。この操作に応じて、移動通信端末１０ａと移動通信端末１０ｂは、予め定められた手順で赤外線信号をやり取りしてコネクションを確立する。
【００３６】
コネクションが確立すると、まず、いずれか一方の移動通信端末１０（ここでは移動通信端末１０ａとする）が、不揮発性メモリ１７ａの自己名刺閲覧情報記憶領域１７１ａから氏名「山田太郎」、コード情報「１２３４ＴＹ」及び暗号鍵「Ｋｅｙ−１」を読み出し、これらを含む赤外線信号ｒ２１を移動通信端末１０ｂに送信する。
【００３７】
移動通信端末１０ｂは、赤外線信号ｒ２１を受信すると、この赤外線信号ｒ２１に含まれる氏名「山田太郎」、コード情報「１２３４ＴＹ」及び暗号鍵「Ｋｅｙ−１」を不揮発性メモリ１７ｂの他人名刺閲覧情報記憶領域１７２ｂに記憶する。次いで、移動通信端末１０ｂは、不揮発性メモリ１７ｂの自己名刺閲覧情報記憶領域１７１ｂから氏名「中村明子」、コード情報「２５６２ＪＨ」及び暗号鍵「Ｋｅｙ−２」を読み出し、これらを含む赤外線信号ｒ２２を移動通信端末１０ａに送信する。
【００３８】
この赤外線信号ｒ２２を受信した移動通信端末１０ａは、この赤外線信号ｒ２２に含まれている氏名「中村明子」、コード情報「２５６２ＪＨ」及び暗号鍵「Ｋｅｙ−２」を不揮発性メモリ１７ａの他人名刺閲覧情報記憶領域１７２ａに記憶する。そして、移動通信端末１０ａは名刺閲覧情報を受け取った旨の赤外線信号ｒ２３を移動通信端末１０ｂに送信し、移動通信端末１０ｂはこれを受信する。この後、移動通信端末１０ａ、１０ｂは各々、名刺閲覧情報の交換処理が終了した旨のメッセージを表示部１５に表示して処理は終了する。
【００３９】
（２−３）名刺情報の閲覧
次に、図１０を参照しながら、名刺情報の閲覧処理について説明する。
まず、ユーザは移動通信端末１０ａを操作して今までに名刺閲覧情報を受け取った人のリストを表示させる。具体的には、移動通信端末１０ａは、他人名刺閲覧情報記憶領域１７２ａに記憶されている「氏名」を全て抽出し、抽出した氏名に基づき、図１１に示すような画面を表示部１５ａに表示する。
【００４０】
ここで、ユーザが名刺を閲覧したい相手の氏名（ここでは、図１１に示す「中村明子」とする）を選択する操作を行うと、移動通信端末１０ａはこの操作を受け付け、選択された氏名に対応するコード情報「２５６２ＪＨ」を不揮発性メモリ１７ａの他人名刺閲覧情報記憶領域１７２ａから読み出す。次いで、移動通信端末１０ａは、ブラウザソフトウェアを起動し、読み出したコード情報を含むＨＴＴＰリクエストｒ４１を生成して名刺管理サーバ装置６０に送信する。なお、このＨＴＴＰリクエストの宛先を示すＵＲＬは、移動通信端末１０ａに予め記憶させておいてもよいし、ユーザがその都度入力するようにしてもよい。
【００４１】
名刺管理サーバ装置６０は、ＨＴＴＰリクエストｒ４１を受信すると、このＨＴＴＰリクエストｒ４１に含まれているコード情報「２５６２ＪＨ」に対応する名刺情報をハードディスク６５から読み出す。次いで、名刺管理サーバ装置６０は、コード情報「２５６２ＪＨ」に対応する暗号鍵「Ｋｅｙ−２」を用いて上記名刺情報を暗号化し、暗号化した名刺情報とコード情報「２５６２ＪＨ」とを含むＨＴＴＰレスポンスｒ４２を移動通信端末１０ａに送信する。
【００４２】
移動通信端末１０ａは、ＨＴＴＰレスポンスｒ４２を受信すると、まず、このＨＴＴＰレスポンスｒ４２に含まれている名刺情報及びコード情報「２５６２ＪＨ」を抽出する。次いで、移動通信端末１０ａは、コード情報「２５６２ＪＨ」に対応している暗号鍵「Ｋｅｙ−２」を不揮発性メモリ１７ａから読みだし、暗号化されている名刺情報を復号化する。そして、移動通信端末１０ａは、復号化した名刺情報に基づいて図１２に示すような画面を表示する。ユーザはこの画面を参照することによって、氏名「中村明子」のユーザの連絡先などを知ることができる。
【００４３】
なお、名刺管理サーバ装置６０は、受信したＨＴＴＰリクエストｒ４１に含まれるコード情報がハードディスク６５に記憶されていない場合には、このＨＴＴＰリクエストｒ４１によるアクセスは正当なものではないと判断し、名刺情報を閲覧することはできない旨のメッセージをＨＴＴＰレスポンスｒ４２に含めて移動通信端末１０ａに送信する。移動通信端末１０ａは、このＨＴＴＰレスポンスｒ４２に含まれているメッセージを表示部１５ａに表示して処理は終了する。
【００４４】
以上述べたように、本実施形態によれば、移動通信端末１０ａと移動通信端末１０ｂとの間では、名刺情報の閲覧に必要なコード情報がネットワークを介することなく赤外線によって直接交換される。従って、例えばインターネット４０のようなセキュリティの低いネットワークを介してコード情報が交換される場合に比較して、コード情報の漏洩をより有効に防止することが可能となる。コード情報の漏洩は名刺情報の漏洩に繋がりかねないので、上記のようなコード情報の漏洩防止策は、名刺情報が不正な第３者に知られてしまうことを防止するのに有効である。
さらに、名刺情報は名刺管理サーバ装置６０に暗号化されるので、仮にコード情報を不正な第３者が知り得たとしても、暗号鍵を入手しない限り名刺情報を閲覧することはできないことになる。
また、名刺情報は名刺管理サーバ装置６０によって集中的に管理されているので、移動通信端末１０は、ユーザが名刺情報を参照しようとする度に、名刺管理サーバ装置６０にアクセスすることが必要である。名刺管理サーバ装置６０が記憶している名刺情報は各々のユーザによって適宜更新されるはずであるから、移動通信端末１０は名刺管理サーバ装置６０にアクセスすれば、常に最新の名刺情報を閲覧することができる。
【００４５】
（３）変形例
本発明は、上述した実施形態に限定されず、例えば次のような変更が可能である。
（３−１）実施形態では、移動通信端末１０間のデータ通信は赤外線を用いるものであったが、これに限らず、ブルートゥース（登録商標）のような他の無線方式であってもよい。
また、いわゆる非接触ＩＣ（Ｉｎｔｅｇｒａｔｅｄ  Ｃｉｒｃｕｉｔ）を用いてもよい。
図１３は、非接触ＩＣを用いる場合の移動通信端末１０の構成を示すブロック図である。図１３に示すように、移動通信端末１０は、非接触ＩＣリーダ／ライタ１８と、ＩＣチップ１９と、不揮発性メモリ２１とを備えている。不揮発性メモリ２１にはブラウザソフトウェア等の各種アプリケーションソフトウェアが記憶されているが、前述の実施形態のような自己名刺閲覧情報記憶領域１７１ａや、他人名刺閲覧情報記憶領域１７２ａは設けられていない。ＩＣチップ１９はＣＰＵとメモリを備えており、そのメモリには、ＩＣチップを一意に識別可能なＩＣＣＩＤを記憶したＩＤ記憶領域１９１と、ユーザの氏名を記憶した自己名刺閲覧情報記憶領域１９２と、他のユーザの移動通信端末１０から受信したＩＣＣＩＤ及び氏名を記憶した他人名刺閲覧情報記憶流域１９３が設けられている。ここで、ＩＣＣＩＤは、ＩＣチップ１９の識別情報であるとともに、前述した「コード情報」の代替としての情報、即ち、各々の名刺情報の識別情報として利用される。非接触ＩＣリーダ／ライタ１８は、ＩＣチップ１９のメモリのＩＤ記憶領域１９１に記憶されているＩＣＣＩＤと、自己名刺閲覧情報記憶領域１９２に記憶されている氏名とを読み出し、これらを名刺閲覧情報として他の移動通信端末１０が備える非接触ＩＣリーダ／ライタに送信する。また、非接触ＩＣリーダ／ライタ１８は、他の移動通信端末１０の非接触ＩＣリーダ／ライタから他人名刺閲覧情報を受信すると、これをＩＣチップ１９の他人名刺閲覧情報記憶領域１９３に書き込む。このようにして移動通信端末１０は他の移動通信端末１０との間で名刺閲覧情報をやり取りすることができる。
なお、図１３のＩＣチップ１９に暗号鍵が記憶されていないことから理解できるようにように、本発明においては、名刺情報を暗号化する処理は必須ではなく、非常に高いセキュリティが必要な場合にのみ暗号化を行えばよい。
【００４６】
また、移動通信端末１０間のデータ通信は、無線である必要もない。例えば、移動通信端末１０に２次元コードを読みとるコードリーダ機能を搭載しておき、名刺閲覧情報を交換する場合には、一方の移動通信端末１０が名刺閲覧情報を表す２次元コードを表示部１５に表示し、他方の移動通信端末１０がコードリーダで上記２次元コードを読みとる等の方法もある。また、専用ケーブルで移動通信端末１０同士を接続して通信を行うようにしてもよい。
なお、実施形態で説明したコード情報が６桁の文字列に限定されないことはいうまでもなく、桁数は何桁であってもよいし、文字や英字或いは記号を含んでいてもよい。
【００４７】
（３−２）実施形態では、名刺交換を行うユーザの移動通信端末１０ａ、１０ｂがいずれも１つの名刺管理サーバ装置６０を共用する場合を説明したが、これに限らない。例えば、移動通信端末１０ａのユーザの名刺情報を記憶する名刺管理サーバ装置と、移動通信端末１０ｂのユーザの名刺情報を記憶する名刺管理サーバ装置とが別々であってもよい。この場合、移動通信端末１０ａ、１０ｂのそれぞれは、前述したコード情報や暗号鍵に加えて、自機のユーザの名刺情報を記憶した名刺管理サーバ装置のＵＲＬを名刺閲覧情報として互いに交換し合うようにすればよい。このようにＵＲＬを交換し合うことによって、各々の移動通信端末１０ａ、１０ｂは、閲覧対象となる名刺情報を蓄積している名刺管理サーバ装置のＵＲＬを知ることができる。
【００４８】
（３−３）上述した移動通信端末１０が動作するためのコンピュータプログラムは、移動通信端末１０の制御部１１によって読み取り可能な磁気記録媒体、光記録媒体あるいはＲＯＭなどの記録媒体に記録して提供することができる。また、インターネット４０や移動パケット通信網２０のようなネットワーク経由で移動通信端末１０にダウンロードさせることももちろん可能である。これは、名刺管理サーバ装置６０が動作するためのコンピュータプログラムについても同様である。
【００４９】
（３−４）名刺情報は実施形態で例示したものに限定されず、名刺に記載し得る情報であれば何でもよい。例えば、ユーザの趣味や家族構成などを含んでいてもよい。また、世間一般で名刺と称せられるもの以外に、例えば、学生証、社員証、各種会員証等も本発明における名刺として取り扱うことが可能である。
また、実施形態では、これらの名刺情報をパソコン５０を用いて名刺管理サーバ装置６０に登録するようにしていたが、これに限らず、移動通信端末１０を用いて登録を行うようにしてもよい。
【００５０】
（３−５）図１１は、ユーザが名刺を閲覧したい相手を選択するための選択画面を示したものであったが、この選択画面は図１１に例示したような表示態様に限定されるわけではない。
例えば、図１４に示した「中村明子（△△工業）」といった具合に、「氏名」に加えて「勤務先」を表示するようにしてもよい。即ち、ユーザが名刺を閲覧したい相手を選択するための一助となるような情報であれば、この選択画面に表示することは可能である。
また、移動通信端末１０が本来備えているアドレス帳機能によって表示される画面を上記の選択画面として利用してもよい。その一例を図１５に示す。アドレス帳に登録された情報は、ユーザが指定する区分に分類することができることが知られているが、図１５の例では、「仕事」という区分に分類された情報が表示されている。図１５に示すようにして列挙された「氏名」を示すテキストデータには、前述した「コード情報」と、「電話番号」とが関連づけられている。ユーザが例えば氏名「中村明子」を選択した後に名刺情報を閲覧するための操作を行うと、移動通信端末１０は「中村明子」というテキストデータに関連づけられているコード情報を含むＨＴＴＰリクエストを名刺管理サーバ装置６０に送信し、名刺情報を要求する。また、ユーザが例えば「中村明子」を選択した後に電話をかけるための操作を行うと、移動通信端末１０は「中村明子」というテキストデータに関連づけられている電話番号を用いて発呼処理を行う。このようにしてアドレス帳が表示された状態から名刺閲覧と電話という２種類の動作を行うことができれば、ユーザにとっては非常に便利である。
【００５１】
【発明の効果】
上述したように本発明によれば、サーバ装置がユーザの要求に応じて更新された名刺情報を記憶しておき、移動通信端末はユーザが所望する名刺情報のコード情報に対応した名刺情報にアクセスするので、ユーザは名刺情報が必要なときにその最新の内容を閲覧することができる。
【図面の簡単な説明】
【図１】本発明の実施の一形態に係る名刺交換システムの構成を示すブロック図である。
【図２】同実施形態における名刺管理サーバ装置の構成を示すブロック図である。
【図３】同実施形態における名刺管理サーバ装置が記憶している名刺情報の一例を示す図である。
【図４】同実施形態における移動通信端末の構成を示すブロック図である。
【図５】同実施形態における動作例を示すシーケンス図である。
【図６】同実施形態におけるパソコンに表示される画面を示す図である。
【図７】同実施形態における動作例を示すシーケンス図である。
【図８】同実施形態における移動通信端末に表示される画面を示す図である。
【図９】同実施形態における動作例を示すシーケンス図である。
【図１０】同実施形態における動作例を示すシーケンス図である。
【図１１】同実施形態における移動通信端末に表示される画面を示す図である。
【図１２】同実施形態における移動通信端末に表示される画面を示す図である。
【図１３】非接触ＩＣを用いる場合の移動通信端末の構成を示すブロック図である
【図１４】別の実施形態における移動通信端末に表示される画面を示す図である。
【図１５】別の実施形態における移動通信端末に表示される画面を示す図である。
【符号の説明】
１０ａ、１０ｂ・・・移動通信端末、
２０・・・移動パケット通信網、
３０・・・ゲートウェイ装置、
４０・・・インターネット、
５０・・・パーソナルコンピュータ、
６０・・・名刺管理サーバ装置。
【図１】
2004362264.tif 000003
【図２】
2004362264.tif 000004
【図３】
2004362264.tif 000005
【図４】
2004362264.tif 000006
【図５】
2004362264.tif 000007
【図６】
2004362264.tif 000008
【図７】
2004362264.tif 000009
【図８】
2004362264.tif 000010
【図９】
2004362264.tif 000011
【図１０】
2004362264.tif 000012
【図１１】
2004362264.tif 000013
【図１２】
2004362264.tif 000014
【図１３】
2004362264.tif 000015
【図１４】
2004362264.tif 000016
【図１５】
2004362264.tif 000017